(57)【要約】【課題】ポスター等の掲示物の取り付け、取り外しを容易かつ迅速に綺麗に行うとともに、異なるサイズの掲示物を取り付けることができ、かつ隣接する掲示物間の隙間を非常に小さくできる掲示板を提供する。【解決手段】掲示板本体２に設けられた掲示面９の左端部および右端部に透明な板状の左側間隙形成部１０ａおよび右側間隙形成部１２ａをそれぞれ設ける。左側間隙形成部１０ａおよび右側間隙形成部１２ａと掲示面９との間に左側掲示物挿入間隙および右側掲示物挿入間隙をそれぞれ形成し、掲示物の左右端部をそれぞれ挿入可能とする。掲示板本体２の上下端部付近に、透明な板状の上側押さえ部１５および下側押さえ部１９をそれぞれ回動可能に支持し、掲示面９との間に掲示物の上下端部をそれぞれ挟ませることができるようにする。【選択図】図１
2007226067.tif 000002
【特許請求の範囲】
【請求項１】
シート状の掲示物を取り付けられる掲示板において、
前記掲示物の裏面を当てられる矩形状の掲示面を備えた掲示板本体と、前記掲示面の左端部および右端部にそれぞれ設けられた透明な板状の左側間隙形成部および右側間隙形成部と、前記左側間隙形成部と前記掲示面の左端部との間に形成されており、前記掲示物の左端部を挿入可能な左側掲示物挿入間隙と、前記右側間隙形成部と前記掲示面の右端部との間に形成されており、前記掲示物の右端部を挿入可能な右側掲示物挿入間隙と、前記掲示面の上端部付近において前記掲示板本体に、該掲示面の幅方向に延びる軸回りに回動可能に支持された透明な板状の上側押さえ部と、前記上側押さえ部が所定の境界角度より前記掲示面側に回動されているときは該上側押さえ部を前記掲示面側に付勢する一方、前記上側押さえ部が前記所定の境界角度より前記掲示面と反対側に回動されているときは該上側押さえ部を前記掲示面と反対側に付勢する上側付勢手段と、前記掲示面の下端部付近において前記掲示板本体に、該掲示面の幅方向に延びる軸回りに回動可能に支持された透明な板状の下側押さえ部と、前記下側押さえ部が所定の境界角度より前記掲示面側に回動されているときは該下側押さえ部を前記掲示面側に付勢する一方、前記下側押さえ部が前記所定の境界角度より前記掲示面と反対側に回動されているときは該下側押さえ部を前記掲示面と反対側に付勢する下側付勢手段とを有してなり、
前記上側押さえ部には前記掲示面との間に前記掲示物の上端部を挟ませることができ、前記下側押さえ部には前記掲示面との間に前記掲示物の下端部を挟ませることができるようになっている掲示板。
【請求項２】
前記掲示面のうちの前記左側間隙形成部および前記右側間隙形成部に対向する部分はそれぞれ凹陥しており、前記左側間隙形成部および前記右側間隙形成部の前面は前記掲示面の主要部と面一とされている請求項１記載の掲示板。
【請求項３】
前記掲示面のうちの幅方向中央側部分と前記左側間隙形成部に対向する部分との間に形成された左側傾斜部と、前記掲示面のうちの幅方向中央側部分と前記右側間隙形成部に対向する部分との間に形成された右側傾斜部とをさらに有する請求項２記載の掲示板。
【請求項４】
前記掲示面の下端に設けられており、前記掲示物の下端を載置される位置決め凸部をさらに有する請求項１乃至３のいずれかに記載の掲示板。
【発明の詳細な説明】
【技術分野】
【０００１】
本発明は、ポスター等のシート状の掲示物を取り付けられる掲示板に関する。
【背景技術】
【０００２】
従来の掲示板としては、（Ａ）それ自体は掲示物を保持する手段を備えておらず、セロファンテープ、画鋲または糊等で掲示物を掲示面に止めるもの、（Ｂ）掲示物の上に透明保護板を全面的に被せ、掲示物を透明保護板と掲示面との間に挟んだ状態とし、透明保護板の上から掲示物を押さえ体で押さえて止めるもの（例えば、特許文献１参照）、（Ｃ）透明保護板は設けず、掲示物の上下左右の端部を直接押さえ体で押さえて止めるもの（例えば、特許文献２参照）があった。
【特許文献１】特表平８−５１１６３２号公報
【特許文献２】米国特許第４，１４５，８２８号明細書
【発明の開示】
【発明が解決しようとする課題】
【０００３】
しかしながら、前記従来の（Ａ）の形式の掲示板においては、
（ａ）掲示物を綺麗に貼るのが困難であるとともに、貼付作業に時間が掛かる、
（ｂ）１つの大きな図柄等（例えば、Ｂ０サイズ）を、それより小さなサイズ（例えば、Ｂ１サイズ）の複数の掲示物に分割して印刷しておき、これらの複数の掲示物を横に隣接して貼ることにより、前記大きな図柄等を表示しようとする場合、分割部が綺麗につながるように複数枚の掲示物をうまく並べて貼ることが困難である、
等の問題があった。
【０００４】
また、前記従来の（Ｂ）の形式の掲示板においては、
（ａ）透明板保護板の取り付け、取り外しが必要なので、掲示物を貼ったり、取り外したりする際に手間が掛かる、
（ｂ）Ｂ１サイズまたはＢ０サイズのみというように、決められた一つのサイズの掲示物しか取り付けることができない、
（ｃ）前項のことから、建築構造物の壁等に同一サイズの掲示板を複数横に並べて設置した場合は、Ｂ１とＢ０サイズのように異なるサイズの掲示物を混在して配列することはできないし、異なるサイズの掲示物を混在して配列するために異なるサイズの掲示板を複数横に並べて設置した場合は、その混在配列順は１種類に限定されてしまい、建築構造物の壁等に対する掲示板の設置順を変更しない限り、その混在配列順を変更することはできない、
（ｄ）前述のように１つの大きな図柄等を小さなサイズの掲示物に分割して印刷しておき、これらの掲示物を横に隣接して貼ることにより、前記大きな図柄等を表示したい場合、比較的に小さなサイズの複数の掲示板を隣接して横に並べて設置することによりそれを実現しようとしても、各掲示板に掲示物の左右端部を押さえる左右の押さえ体が存在するので、隣接する掲示物間に非常に大きな隙間が生じてしまうため、不自然な印象を与える、
（ｅ）取り付け、取り外し作業中にアクリル樹脂等からなる透明板保護板が割れ易い、
（ｆ）透明保護板が傷ついたり、静電気を発生して汚なくなり易い、
等の問題があった。
【０００５】
さらに、前記従来の（Ｃ）の形式の掲示板においては、
（ａ）押さえ体で押さえられている掲示物の上下左右の端部は見えなくなってしまう、
（ｂ）前記（Ｂ）の形式の掲示板と同様に、決められた一つのサイズの掲示物しか取り付けることができない、
（ｃ）前記（Ｂ）の形式の掲示板と同様に、同一サイズの掲示板を複数横に並べて設置した場合は、異なるサイズの掲示物を混在して配列することはできないし、異なるサイズの掲示物を混在して配列するために異なるサイズの掲示板を複数横に並べて設置した場合は、その混在配列順は１種類に限定されてしまい、建築構造物の壁等に対する掲示板の設置順を変更しない限り、その混在配列順を変更することはできない、
（ｄ）前記（Ｂ）の形式の掲示板と同様に、１つの大きな図柄等を小さなサイズの掲示物に分割して印刷しておき、これらの掲示物を横に隣接して貼ることにより、前記大きな図柄等を表示したい場合、比較的に小さなサイズの複数の掲示板を隣接して横に並べて設置することによりそれを実現しようとしても、各掲示板に左右の押さえ体が存在するので、隣接する掲示物間に非常に大きな隙間が生じてしまうため、不自然な印象を与える、
等の問題があった。
【０００６】
本発明は、このような従来の事情に鑑みてなされたもので、本発明の一つの目的は、掲示物の取り付けを容易かつ迅速に綺麗に行うことができ、取り外しも容易かつ迅速に行うことができる掲示板を提供することにある。
【０００７】
本発明の他の目的は、１種類のサイズの掲示板により、異なるサイズの掲示物を取り付けることができる掲示板を提供することにある。
【０００８】
本発明の他の目的は、異なるサイズの掲示物を混在して並べて取り付けることができ、しかもその混在配列順を自由に選択することができる掲示板を提供することにある。
【０００９】
本発明の他の目的は、隣接する掲示物間の隙間を非常に小さくすることができる掲示板を提供することにある。
【００１０】
本発明の他の目的は、掲示物の上下左右の端部が見えなくなってしまうことがない掲示板を提供することにある。
【００１１】
本発明のさらに他の目的は、以下の説明から明らかになろう。
【課題を解決するための手段】
【００１２】
本発明による掲示板は、シート状の掲示物を取り付けられる掲示板において、
前記掲示物の裏面を当てられる矩形状の掲示面を備えた掲示板本体と、前記掲示面の左端部および右端部にそれぞれ設けられた透明な板状の左側間隙形成部および右側間隙形成部と、前記左側間隙形成部と前記掲示面の左端部との間に形成されており、前記掲示物の左端部を挿入可能な左側掲示物挿入間隙と、前記右側間隙形成部と前記掲示面の右端部との間に形成されており、前記掲示物の右端部を挿入可能な右側掲示物挿入間隙と、前記掲示面の上端部付近において前記掲示板本体に、該掲示面の幅方向に延びる軸回りに回動可能に支持された透明な板状の上側押さえ部と、前記上側押さえ部が所定の境界角度より前記掲示面側に回動されているときは該上側押さえ部を前記掲示面側に付勢する一方、前記上側押さえ部が前記所定の境界角度より前記掲示面と反対側に回動されているときは該上側押さえ部を前記掲示面と反対側に付勢する上側付勢手段と、前記掲示面の下端部付近において前記掲示板本体に、該掲示面の幅方向に延びる軸回りに回動可能に支持された透明な板状の下側押さえ部と、前記下側押さえ部が所定の境界角度より前記掲示面側に回動されているときは該下側押さえ部を前記掲示面側に付勢する一方、前記下側押さえ部が前記所定の境界角度より前記掲示面と反対側に回動されているときは該下側押さえ部を前記掲示面と反対側に付勢する下側付勢手段とを有してなり、
前記上側押さえ部には前記掲示面との間に前記掲示物の上端部を挟ませることができ、前記下側押さえ部には前記掲示面との間に前記掲示物の下端部を挟ませることができるようになっているものである。
【００１３】
本発明においては、掲示物のサイズが掲示面のサイズと実質的に同じである場合は、１個の掲示板に１枚の掲示物を取り付ける。この場合は、上側押さえ部および下側押さえ部を開いておいてから、掲示物の左端部を左側掲示物挿入間隙に、掲示物の右端部を右側掲示物挿入間隙にそれぞれ挿入するとともに、掲示物の裏面を掲示面に当てる。次に、上側付勢手段に抗して上側押さえ部を閉じ方向に回動させ、上側付勢手段の付勢力により上側押さえ部と掲示面との間に掲示物の上端部を挟ませるとともに、下側付勢手段に抗して下側押さえ部を閉じ方向に回動させ、下側付勢手段の付勢力により下側押さえ部と掲示面との間に掲示物の下端部を挟ませる。
【００１４】
また、掲示物のサイズＢ０で、掲示面のサイズが大略Ｂ１である場合のように、掲示物を２つ折りしたサイズが大略掲示面のサイズになっている場合は、建造物の壁等に隣接して横に並べて設置した２個の掲示板に跨がるようにして１枚の掲示物を取り付ける。この場合は、上側押さえ部および下側押さえ部を開いておいてから、掲示物の左端部を左側の掲示板の左側掲示物挿入間隙に、掲示物の右端部を右側の掲示板の右側掲示物挿入間隙にそれぞれ挿入するとともに、左側の掲示板の右側掲示物挿入間隙および右側の掲示板の左側掲示物挿入間隙には掲示物は挿入せず、掲示物が左側の掲示板の右側間隙形成部および右側の掲示板の左側間隙形成部の前面に跨るようにする。この状態で、掲示物の上端部を各掲示板の上側押さえ部と掲示面との間に入れた後、上側付勢手段に抗して各掲示板の上側押さえ部を閉じ方向に回動させ、上側付勢手段の付勢力により各掲示板の上側押さえ部と掲示面との間に掲示物の上端部を挟ませるとともに、掲示物の下端部を各掲示板の下側押さえ部と掲示面との間に入れた後、下側付勢手段に抗して各掲示板の下側押さえ部を閉じ方向に回動させ、下側付勢手段の付勢力により各掲示板の下側押さえ部と掲示面との間に掲示物の下端部を挟ませる。
【００１５】
本発明においては、上記のようにして掲示物を取り付けることができるので、掲示物の取り付けを容易かつ迅速に綺麗に行うことができ、取り外しも取り付けと逆の作業を行うことにより容易かつ迅速に行うことができる。
【００１６】
また、１種類のサイズの掲示板により、異なるサイズの掲示物を取り付けることができる。
【００１７】
また、掲示板を３個以上隣接して横に並べて設置することにより、異なるサイズの掲示物を混在して並べて取り付けることができ、しかもその混在配列順を自由に選択することができる。
【００１８】
また、前記従来の（Ｂ）および（Ｃ）の形式の掲示板のように、掲示物の左右の端部を押さえ体で押さえることはないので、隣接する掲示物間の隙間を非常に小さくすることができる。
【００１９】
さらに、掲示物の左右、上下の端部上に存在することになる左側間隙形成部、右側間隙形成部、上側押さえ部および下側押さえ部は、それぞれ透明の板状とされているので、掲示物の上下左右の端部が見えなくなってしまうことがない。
【発明の効果】
【００２０】
本発明の掲示板は、
（イ）掲示物の取り付けを容易かつ迅速に綺麗に行うことができ、取り外しも容易かつ迅速に行うことができる、
（ロ）１種類のサイズの掲示板により、異なるサイズの掲示物を取り付けることができる、
（ハ）異なるサイズの掲示物を混在して並べて取り付けることができ、しかもその混在配列順を自由に選択することができる、
（ニ）隣接する掲示物間の隙間を非常に小さくすることができる、
（ヘ）掲示物の上下左右の端部が見えなくなってしまうことがない、
等の優れた効果を得られるものである。
【発明を実施するための最良の形態】
【００２１】
以下、本発明を図面に示す実施例に基づいて説明する。
【実施例】
【００２２】
図１〜１６は本発明の一実施例を示している。本実施例における掲示板１の掲示板本体２は、上側枠材３、下側枠材４、左側枠材５、右側枠材６およびパネル板７を有してなり、全体として矩形状をなしている。前記上側枠材３、下側枠材４、左側枠材５および右側枠材６はそれぞれアルミ押し出し型材からなっており、互いに固定結合されることにより、矩形状の枠体８を構成している。前記パネル板７はアルミ板からなり、全体として矩形状をなしている。図４〜７に示されるように、このパネル板７の上下左右両端部は断面コの字状になるように曲げ返されており、かつ上側、下側、左側および右側枠材３，４，５，６にそれぞれ固定されている。前記パネル板７の前面、上側枠材３の下部前面３ａ（図３，６参照）、下側枠材４の上部前面４ａ（図７〜９参照）、左側枠材５の前面および右側枠材６の前面は、掲示面９を構成している。
【００２３】
図１，３および４に示されるように、前記左側枠材５にはアクリル樹脂からなる横断面Ｌ字形の透明な左側Ｌ字形材１０が取り付けられている。図４によく示されるように、前記左側Ｌ字形材１０の一方の辺は左側間隙形成部１０ａを構成しており、左側枠材５の前面のうちの左側部分５ａ（掲示面９の左端部を構成している）に左側掲示物挿入間隙１１を介して対向している。ここで、前記左側枠材５の前面のうちの左側部分５ａは、掲示面９の大部分を構成するパネル板７の前面より凹陥していて、かつパネル板７の前面と平行に広がっている。前記左側間隙形成部１０ａの前面はパネル板７の前面と面一とされている。前記左側枠材５の前面のうちの右側部分は、左側部分５ａからパネル板７の前面へ向かって傾斜する左側傾斜部５ｂを形成している。
【００２４】
図１，２および５に示されるように、右側枠材６にはアクリル樹脂からなる横断面Ｌ字形の透明な右側Ｌ字形材１２が取り付けられている。図５によく示されるように、前記右側Ｌ字形材１２の一方の辺は右側間隙形成部１２ａを構成しており、右側枠材６の前面のうちの右側部分６ａ（掲示面９の右端部を構成している）に右側掲示物挿入間隙１３を介して対向している。ここで、前記右側枠材６の前面のうちの右側部分６ａは、掲示面９の大部分を構成するパネル板７の前面より凹陥していて、かつパネル板７の前面と平行に広がっている。前記右側間隙形成部１２ａの前面はパネル板７の前面と面一とされている。前記右側枠材６の前面のうちの左側部分は、右側部分６ａからパネル板７の前面へ向かって傾斜する右側傾斜部６ｂを形成している。
【００２５】
図３および６に示されているように、前記上側枠材３には、該枠材３の長さ方向（すなわち掲示面９の幅方向）に延びる横断面ほぼ円形状の軸突条３ｂが一体的に設けられている。上側開閉材１４はアルミ押し出し型材からなっており、横断面円弧状の内面を有する軸溝１４ａを設けられており、この軸溝１４ａを軸突条３ｂに嵌合されることにより、上側枠材３ひいては掲示板本体２に対し掲示面９の幅方向に延びる回転軸（軸突条３ｂ）を中心として回動可能に支持されている。前記上側開閉材１４には、帯板状のアクリル樹脂板からなる透明な板状の上側押さえ部１５が固定的に取り付けられている。
【００２６】
図３および図６の実線は、前記上側開閉材１４が完全に閉じられた位置にある状態を示しており、この状態では、掲示物１６が挿入されていない場合、上側押さえ部１５の後面が上側枠材３の下部前面３ａの上側部分に全面的に接触した状態となる（後で詳しく説明するように、掲示物１６が掲示板１に取り付けられるときは、上側押さえ部１５と上側枠材３の下部前面３ａとの間に掲示物１６が挟まれることになる）。
【００２７】
前記上側枠材３と上側開閉材１４との間には円弧状に湾曲された板ばねからなる上側付勢手段１７が介装されており、この上側付勢手段１７はデッド・ポイントばねを構成していて、上側開閉材１４ひいては上側押さえ部１５が所定の境界角度より掲示面９側（閉じ側）に回動されているときは該上側開閉材１４ひいては上側押さえ部１５を掲示面９側（閉じ側）に付勢する一方、上側開閉材１４ひいては上側押さえ部１５が所定の境界角度より掲示面９と反対側（開き側）に回動されているときは逆に該上側開閉材１４ひいては上側押さえ部１５を掲示面９と反対側（開き側）に付勢するようになっている。
【００２８】
図７〜９に示されているように、前記下側枠材４には掲示面９の幅方向に延びる横断面ほぼ円形状の軸突条４ｂが一体的に設けられている。下側開閉材１８はアルミ押し出し型材からなっており、横断面円弧状の内面を有する軸溝１８ａを設けられており、この軸溝１８ａを軸突条４ｂに嵌合されることにより、下側枠材４ひいては掲示板本体２に対し掲示面９の幅方向に延びる回転軸（軸突条４ｂ）を中心として回動可能に支持されている。前記下側開閉材１８には、帯板状のアクリル樹脂板からなる透明な板状の下側押さえ部１９が固定的に取り付けられている。
【００２９】
図７の実線および図９は、前記下側開閉材１８が完全に閉じられた位置にある状態を示しており、この状態では、掲示物１６が挿入されていない場合、下側押さえ部１９が下側枠材４の後面が上部前面４ａに全面的に接触した状態となる（後で詳しく説明するように、掲示物１６が掲示板１に取り付けられるときは、下側押さえ部１９と下側枠材４の上部前面４ａとの間に掲示物１６が挟まれることになる）。図８および９によく示されるように、下側枠材４の上部前面４ａには、掲示面９より前方に突出する位置決め凸部２０が掲示面９の幅方向に適当な間隔で適当数設けられている。前記下側押さえ部１９のうちの、位置決め凸部２０に対応する部分には、下側押さえ部１９と位置決め凸部２０とが干渉しないようにするための切欠き２４が設けられている。
【００３０】
前記下側枠材４と下側開閉材１８との間には円弧状に湾曲された板ばねからなる下側付勢手段２１が介装されており、この下側付勢手段２１はデッド・ポイントばねを構成していて、下側開閉材１８ひいては下側押さえ部１９が所定の境界角度より掲示面９側（閉じ側）に回動されているときは該下側開閉材１８ひいては下側押さえ部１９を掲示面９側（閉じ側）に付勢する一方、下側開閉材１８ひいては下側押さえ部１９が所定の境界角度より掲示面９と反対側（開き側）に回動されているときは逆に該下側開閉材１８ひいては下側押さえ部１９を掲示面９と反対側（開き側）に付勢するようになっている。
【００３１】
図１，２および３に示されるように前記上側枠材３の両端部にはカバー材２２、前記下側枠材４の両端部にはカバー材２３がそれぞれ取り付けられている。
【００３２】
次に、本実施例の掲示板１の使用方法および作動を説明する。この掲示板１は、建造物の壁等（図示せず）に取り付けられる。好適には、任意数の掲示板１を互いに接するようにして横に並べて取り付ける（ただし、前記壁等に掲示板１を１個のみ設置したり、互いに間隔を置いて横に並べて設置したり、縦方向や斜め方向に複数配置して使用することも可能である）。図１０および１３は、掲示板１を互いに接するようにして横に２個並べて前記壁等に取り付けた状態、図１５および１６は、掲示板１を互いに接するようにして横に４個並べて前記壁等に取り付けた状態をそれぞれ示している。
【００３３】
例えば、取り付けるべきポスター等の掲示物１６と掲示面９のサイズとが実質的に同じである場合（例えば、どちらもＢ１サイズである場合）は、１個の掲示板１に対して１枚の掲示物１６を取り付ける。この場合は、図６、図７の一点鎖線および図８で示されるように、上側および下側開閉材１４，１８ひいては上側および下側押さえ部１５，１９を開いておいた上、図４の一点鎖線で示されるように掲示物１６の左端部を左側掲示物挿入間隙１１に、図５の一点鎖線で示されるように掲示物１６の右端部を右側掲示物挿入間隙１３にそれぞれ挿入するとともに、掲示物１６の裏面を掲示面９に当てる（この作業は、図１１に示されるように、掲示物１６を一旦前方に凸になるように湾曲させてから行うと、容易に行うことができる）。そして、図８の一点鎖線で示されるように、掲示物１６の下端を位置決め凸部２０上に載置する。このようにして掲示物１６の下端が位置決め凸部２０上に載置されることにより、掲示面９に対する掲示物１６の上下方向に関する位置が自ずと決まるとともに、掲示物１６に傾きが生じないようすることができる。
【００３４】
次に、上側付勢手段１７に抗して上側開閉材１４ひいては上側押さえ部１５を閉じ方向に回動させ、上側付勢手段１７の付勢力により上側押さえ部１５と掲示面９（特にそのうちの上側枠材３の下部前面３ａ）との間に掲示物１６の上端部を挟ませるとともに、下側付勢手段２１に抗して下側開閉材１８ひいては下側押さえ部１９を閉じ方向に回動させ、下側付勢手段２１の付勢力により下側押さえ部１９と掲示面９（特にそのうちの下側枠材４の上部前面４ａ）との間に掲示物１６の下端部を挟ませる。なお、上側および下側開閉材１４，１８を所定の境界角度より閉方向（掲示面９側）に回動すると、上側および下側付勢手段１７，２１は上側および下側開閉材１４，１８をそれまでと逆の閉方向（掲示面９側）に付勢するようになる。これにより、掲示板１に対する掲示物１６の取付作業が完了する。
【００３５】
図１０は、横に２個並べて前記壁等に取り付けられた掲示板１に、上述のようにしてそれぞれ１枚ずつ掲示物１６を取り付けた状態を示している。なお、図面では、個々の掲示物１６を他の掲示物１６と容易に識別できるようにするため、便宜上、各掲示物１６の表面にそれぞれ格子の大きさが異なる格子模様を施すとともに、符号１６の後に括弧付き数字を付して１６（１），１６（２）としている。この掲示板１では、前記従来の（Ｂ）および（Ｃ）の形式の掲示板１のように掲示物１６の左右の端部を押さえ体で押さえることはないので、隣接する掲示物１６間の隙間を非常に小さくすることができる（本実施例の場合、図１２に示されるように、掲示物１６間の隙間Ｇは左側および右側Ｌ字形材１０，１２の板厚の和とほぼ同じとすることができる）。
【００３６】
他方、掲示物１６のサイズがＢ０である一方、掲示面９のサイズがＢ１である場合のように、掲示物１６を２つ折りしたサイズが大略掲示面９のサイズになっている場合は、図１３のように隣接して横に並べて設置した２個の掲示板１に跨るようにして１枚の掲示物１６を取り付ける。すなわちこの場合は、掲示物１６の左端部を左側の掲示板１の左側掲示物挿入間隙１１に、掲示物１６の右端部を右側の掲示板１の右側掲示物挿入間隙１３にそれぞれ挿入するとともに、図１４の一点鎖線で示されるように、左側の掲示板１の右側掲示物挿入間隙１３および右側の掲示板１の左側掲示物挿入間隙１１には掲示物１６は挿入せず、掲示物１６が左側の掲示板１の右側間隙形成部１２ａおよび右側の掲示板１の左側間隙形成部１０ａの前面に跨るようにする。また、前述の１個の掲示板１に対して１枚の掲示物１６を取り付ける場合と同様に、掲示物１６の下端を各掲示板１の位置決め凸部２０上に載置する。そしてこの状態で、上側付勢手段１７に抗して各掲示板１の上側開閉材１４ひいては上側押さえ部１５を閉じ方向に回動させ、上側付勢手段１７の付勢力により各掲示板１の上側押さえ部１５と掲示面９との間に掲示物１６の上端部を挟ませるとともに、下側付勢手段２１に抗して各掲示板１の下側開閉材１８ひいては下側押さえ部１９を閉じ方向に回動させ、下側付勢手段２１の付勢力により各掲示板１の下側押さえ部１９と掲示面９との間に掲示物１６の下端部を挟ませる。
【００３７】
この掲示板１においては、上記のようにして掲示物１６を取り付けることができるので、掲示物１６の取り付けを容易かつ迅速に綺麗に行うことができ、取り外しも取り付けと逆の作業を行うことにより容易かつ迅速に行うことができる。
【００３８】
なお、本実施例では、位置決め凸部２０が設けられており、掲示物１６の取付時、掲示物１６の下端を位置決め凸部２０上に載置するのみで、掲示面９に対する掲示物１６の上下方向に関する位置が自ずと決まるとともに、掲示物１６に傾きが生じないようすることができるので、取付作業をさらに容易かつ迅速に綺麗に行うことができる。
【００３９】
また、この掲示板１においては、前述のように１種類のサイズ（例えばＢ１）の掲示板１により、異なるサイズ（例えば、Ｂ１とＢ０）の掲示物１６を取り付けることができる。そして、特に本実施例では、掲示面９のうちの左側間隙形成部１０ａおよび右側間隙形成部１２ａに対向する部分を凹陥させ、左側間隙形成部１０ａおよび右側間隙形成部１２ａの前面を掲示面９の主要部と面一としているので、掲示板１のサイズより大きい掲示物１６を取り付ける際、図１４のように掲示物１６が左側の掲示板１の右側間隙形成部１２ａおよび右側の掲示板１の左側間隙形成部１０ａの前面に跨るようにしたとき、掲示物１６の中央部を平面状態に保持させ、見苦しくならないようにすることができる。
【００４０】
また、本実施例では、左側および右側傾斜部５ｂ，６ｂが設けられているので、上述のように掲示面９のうちの左側間隙形成部１０ａおよび右側間隙形成部１２ａに対向する部分５ａ，６ａが凹陥しているにもかかわらず、掲示物１６の取り付け時、図４および５のように掲示物１６の左右端部を左側および右側掲示物挿入間隙１１，１３にそれぞれ挿入する際、掲示物１６の左右端部を左側および右側傾斜部５ｂ，６ｂに案内させてその作業を行うことができるため、取付作業を容易かつ迅速に行うことができる。
【００４１】
また、掲示板１を３個以上隣接して横に並べて設置することにより、異なるサイズの掲示物１６を混在して並べて取り付けることができ、しかもその混在配列順を自由に選択することができる。図１５および１６は、このような異種サイズの混在配列例であり、図１５は、掲示板１を４個隣接して横に並べて設置し、そのうちの左右最外側の掲示板１には１個の掲示板１に対して１枚の掲示物１６（１），１６（２）をそれぞれを取り付ける一方、真ん中の２個の掲示板１には共通の１枚の大きな掲示物１６（３）を取り付けた状態を示している。また、図１６は、掲示板１を４個隣接して横に並べて設置し、そのうちの左から１番目および２番目の掲示板１には１個の掲示板１に対して１枚の掲示物１６（１），１６（２）をそれぞれ取り付ける一方、左から３番目および４番目の掲示板１には共通の１枚の大きな掲示物１６（３）を取り付けた状態を示している。
【００４２】
さらに、この掲示板１では、掲示物１６の左右、上下の端部上に存在することになる左側間隙形成部１０ａ、右側間隙形成部１２ａ、上側押さえ部１５および下側押さえ部１９は、それぞれ透明の板状とされているので、掲示物１６の上下左右の端部が見えなくなってしまうことがない。
【００４３】
なお、本発明の掲示板は、建造物の壁以外に取り付けるようにしてもよいし、自立するようにしてもよい。
【産業上の利用可能性】
【００４４】
以上のように本発明による掲示板は、ポスター等のシート状の掲示物を取り付けられる掲示板として有用である。
【図面の簡単な説明】
【００４５】
【図１】本発明による掲示板の一実施例を示す正面図である。
【図２】前記実施例を示す側面図である。
【図３】前記実施例の左上隅部付近を示す斜視図である。
【図４】図１のＩＶ−ＩＶ線における断面図である。
【図５】図１のＶ−Ｖ線における断面図である。
【図６】図１のＶＩ−ＶＩ線における断面図である。
【図７】図１のＶＩＩ−ＶＩＩ線における断面図である。
【図８】前記実施例における位置決め凸部付近を下側開閉材および下側押さえ部を開いた状態で示す断面図である。
【図９】前記実施例における位置決め凸部付近を下側開閉材および下側押さえ部を閉じた状態で示す断面図である。
【図１０】前記実施例の掲示板を横に２個並べて設置し、１個の掲示板に対し１枚ずつ掲示物を取り付けた状態を示す正面図である。
【図１１】前記実施例の掲示板の左側および右側間隙形成部に掲示物の左右端部を挿入する作業をを示す断面図である。
【図１２】図１０のＸＩＩ−ＸＩＩ線における断面図である。
【図１３】前記実施例の掲示板を横に２個並べて設置し、これらの２個の掲示板に跨って１枚の大きな掲示物を取り付けた状態を示す正面図である。
【図１４】図１３のＸＩＶ−ＸＩＶ線における断面図である。
【図１５】前記実施例の掲示板を横に４個並べて設置し、これらの４個の掲示板１に対し異なるサイズの掲示物を混在して取り付けた状態を示す正面図である。
【図１６】図１５と同様に前記実施例の掲示板を横に４個並べて設置し、これらの４個の掲示板に対し図１５とは異なる配列順で、異なるサイズの掲示物を混在して取り付けた状態を示す正面図である。
【符号の説明】
【００４６】
１    掲示板
２    掲示板本体
３    上側枠材
３ｂ  軸突条（上側押さえ部の回動軸）
４    下側枠材
４ｂ  軸突条（下側押さえ部の回動軸）
５ｂ  左側傾斜部
６ｂ  右側傾斜部
９    掲示面
１０ａ  左側間隙形成部
１１    左側掲示物挿入間隙
１２ａ  右側間隙形成部
１３    右側掲示物挿入間隙
１４    上側開閉材
１５    上側押さえ部
１６，１６（１），１６（２），１６（３）    掲示物
１７    上側付勢手段
１８    下側開閉材
１９    下側押さえ部
２０    位置決め凸部
２１    下側付勢手段
２０    位置決め凸部
２１    下側付勢手段
【図１】
2007226067.tif 000003
【図２】
2007226067.tif 000004
【図３】
2007226067.tif 000005
【図４】
2007226067.tif 000006
【図５】
2007226067.tif 000007
【図６】
2007226067.tif 000008
【図７】
2007226067.tif 000009
【図８】
2007226067.tif 000010
【図９】
2007226067.tif 000011
【図１０】
2007226067.tif 000012
【図１１】
2007226067.tif 000013
【図１２】
2007226067.tif 000014
【図１３】
2007226067.tif 000015
【図１４】
2007226067.tif 000016
【図１５】
2007226067.tif 000017
【図１６】
2007226067.tif 000018